(57)【要約】【課題】間仕切り扉が設置された通路において、間仕切り扉が使用されていない時の通行を円滑にできる住宅を提供すること。【解決手段】住宅は、間仕切り壁と、前記間仕切り壁に面する通路を塞ぐ扉本体を備え、鉛直方向と平行な回転軸を中心に回転する間仕切り扉と、を備え、前記扉本体の厚さ方向が前記間仕切り壁の厚さ方向と同じである状態において、前記扉本体は、前記間仕切り壁に設けられる凹状の収納空間に収納される。【選択図】図６
2020153130.tif 000002
【特許請求の範囲】
【請求項１】
間仕切り壁と、
前記間仕切り壁に面する通路を塞ぐ扉本体を備え、鉛直方向と平行な回転軸を中心に回転する間仕切り扉と、
を備え、
前記扉本体の厚さ方向が前記間仕切り壁の厚さ方向と同じである状態において、前記扉本体は、前記間仕切り壁に設けられる凹状の収納空間に収納される
住宅。
【請求項２】
前記間仕切り扉は、前記扉本体に取り付けられ且つ前記扉本体の一方側から操作できる第１錠と、前記扉本体に取り付けられ且つ前記扉本体の他方側から操作できる第２錠と、
を備える請求項１に記載の住宅。
【請求項３】
第１玄関錠を備える第１玄関扉と、
第２玄関錠を備える第２玄関扉と、
を備え、
前記扉本体の厚さ方向が前記間仕切り壁の厚さ方向に対して直交する状態において、前記第１玄関扉は、前記扉本体に対して前記第１錠を操作できる空間側に配置され、
前記扉本体の厚さ方向が前記間仕切り壁の厚さ方向に対して直交する状態において、前記第２玄関扉は、前記扉本体に対して前記第２錠を操作できる空間側に配置され、
前記第２玄関錠を操作するための第２玄関鍵は、前記第１玄関錠を操作するための第１玄関鍵とは異なる鍵であり、
前記第２錠を操作するための第２鍵は、前記第１錠を操作するための第１鍵と同じ鍵であり、
前記第１鍵及び前記第２鍵は、前記第１玄関鍵及び前記第２玄関鍵とは異なる鍵である
請求項２に記載の住宅。
【請求項４】
第１玄関錠を備える第１玄関扉と、
第２玄関錠を備える第２玄関扉と、
を備え、
前記扉本体の厚さ方向が前記間仕切り壁の厚さ方向に対して直交する状態において、前記第１玄関扉は、前記扉本体に対して前記第１錠を操作できる空間側に配置され、
前記扉本体の厚さ方向が前記間仕切り壁の厚さ方向に対して直交する状態において、前記第２玄関扉は、前記扉本体に対して前記第２錠を操作できる空間側に配置され、
前記第２玄関錠を操作するための第２玄関鍵は、前記第１玄関錠を操作するための第１玄関鍵とは異なる鍵であり、
前記第２錠を操作するための第２鍵は、前記第１錠を操作するための第１鍵と異なる鍵であり、
前記第１鍵は、前記第１玄関鍵と同じ鍵であり
前記第２鍵は、前記第２玄関鍵と同じ鍵である
請求項２に記載の住宅。
【請求項５】
前記間仕切り扉は、前記扉本体に取り付けられるケースハンドルを備える
請求項１から４のいずれか１項に記載の住宅。
【請求項６】
前記間仕切り扉は、前記扉本体の厚さ方向が前記間仕切り壁の厚さ方向に対して直交する状態において前記扉本体を囲む枠と、前記扉本体と前記枠との間の隙間を塞ぐ密封部材と、を備える
請求項１から５のいずれか１項に記載の住宅。
【発明の詳細な説明】
【技術分野】
【０００１】
本発明は、住宅に関する。
【背景技術】
【０００２】
住宅において、１つの空間を複数の空間に分割することが求められることがある。例えば特許文献１には、住宅の間取りを変更するための間仕切り壁の一例が記載されている。
【先行技術文献】
【特許文献】
【０００３】
【特許文献１】特開２００８−８１９７８号公報
【発明の概要】
【発明が解決しようとする課題】
【０００４】
ところで、間仕切り壁を用いた場合、間仕切り壁が使用されていない状態（間仕切り壁が通路を塞いでいない状態）において、間仕切り壁が通路の通行の妨げになる可能性がある。
【０００５】
本開示は、上記の課題に鑑みてなされたものであって、間仕切り扉が設置された通路において、間仕切り扉が使用されていない時の通行を円滑にできる住宅を提供することを目的とする。
【課題を解決するための手段】
【０００６】
上記の目的を達成するため、本開示の一態様の住宅は、間仕切り壁と、前記間仕切り壁に面する通路を塞ぐ扉本体を備え、鉛直方向と平行な回転軸を中心に回転する間仕切り扉と、を備え、前記扉本体の厚さ方向が前記間仕切り壁の厚さ方向と同じである状態において、前記扉本体は、前記間仕切り壁に設けられる凹状の収納空間に収納される。
【０００７】
なお、上記の住宅の望ましい態様として、前記間仕切り扉は、前記扉本体に取り付けられ且つ前記扉本体の一方側から操作できる第１錠と、前記扉本体に取り付けられ且つ前記扉本体の他方側から操作できる第２錠と、を備える。
【０００８】
なお、上記の住宅の望ましい態様として、第１玄関錠を備える第１玄関扉と、第２玄関錠を備える第２玄関扉と、を備え、前記扉本体の厚さ方向が前記間仕切り壁の厚さ方向に対して直交する状態において、前記第１玄関扉は、前記扉本体に対して前記第１錠を操作できる空間側に配置され、前記扉本体の厚さ方向が前記間仕切り壁の厚さ方向に対して直交する状態において、前記第２玄関扉は、前記扉本体に対して前記第２錠を操作できる空間側に配置され、前記第２玄関錠を操作するための第２玄関鍵は、前記第１玄関錠を操作するための第１玄関鍵とは異なる鍵であり、前記第２錠を操作するための第２鍵は、前記第１錠を操作するための第１鍵と同じ鍵であり、前記第１鍵及び前記第２鍵は、前記第１玄関鍵及び前記第２玄関鍵とは異なる鍵である。
【０００９】
なお、上記の住宅の望ましい態様として、第１玄関錠を備える第１玄関扉と、第２玄関錠を備える第２玄関扉と、を備え、前記扉本体の厚さ方向が前記間仕切り壁の厚さ方向に対して直交する状態において、前記第１玄関扉は、前記扉本体に対して前記第１錠を操作できる空間側に配置され、前記扉本体の厚さ方向が前記間仕切り壁の厚さ方向に対して直交する状態において、前記第２玄関扉は、前記扉本体に対して前記第２錠を操作できる空間側に配置され、前記第２玄関錠を操作するための第２玄関鍵は、前記第１玄関錠を操作するための第１玄関鍵とは異なる鍵であり、前記第２錠を操作するための第２鍵は、前記第１錠を操作するための第１鍵と異なる鍵であり、前記第１鍵は、前記第１玄関鍵と同じ鍵であり前記第２鍵は、前記第２玄関鍵と同じ鍵である。
【００１０】
なお、上記の住宅の望ましい態様として、前記間仕切り扉は、前記扉本体に取り付けられるケースハンドルを備える。
【００１１】
なお、上記の住宅の望ましい態様として、前記間仕切り扉は、前記扉本体の厚さ方向が前記間仕切り壁の厚さ方向に対して直交する状態において前記扉本体を囲む枠と、前記扉本体と前記枠との間の隙間を塞ぐ密封部材と、を備える。
【発明の効果】
【００１２】
本開示の住宅によれば、間仕切り扉が設置された通路において、間仕切り扉が使用されていない時の通行を円滑にできる。
【図面の簡単な説明】
【００１３】
【図１】図１は、実施形態の住宅の平面図である。
【図２】図２は、実施形態の住宅の平面図である。
【図３】図３は、実施形態の住宅の平面図である。
【図４】図４は、実施形態の間仕切り扉の正面図である。
【図５】図５は、実施形態の間仕切り扉の背面図である。
【図６】図６は、実施形態の間仕切り扉の周辺の水平断面図である。
【図７】図７は、図６におけるＡ−Ａ断面図である。
【図８】図８は、図６におけるＢ−Ｂ断面図である。
【図９】図９は、実施形態の間仕切り扉の側面図である。
【発明を実施するための形態】
【００１４】
以下、本発明につき図面を参照しつつ詳細に説明する。なお、本発明を実施するための形態（以下、実施形態という）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００１５】
（実施形態）
図１から図３は、実施形態の住宅の平面図である。図４は、実施形態の間仕切り扉の正面図である。図５は、実施形態の間仕切り扉の背面図である。図６は、実施形態の間仕切り扉の周辺の水平断面図である。図７は、図６におけるＡ−Ａ断面図である。図８は、図６におけるＢ−Ｂ断面図である。図９は、実施形態の間仕切り扉の側面図である。本実施形態の住宅１００は、例えば集合住宅の一室である。住宅１００の間取りは、住宅１００の所有者（以下、単に所有者という）の生活様式に応じて変更できる。住宅１００は、容易に間取りを変更できるように構成されている。
【００１６】
図１に示すように、住宅１００は、第１玄関１０１と、第１玄関扉２０１と、第２玄関１０３と、第２玄関扉２０３と、居間１０５と、第１寝室１０７と、第２寝室１０９と、第３寝室１１１と、第１化粧室１１２と、第１台所１１３と、第１浴室１１４と、第１洗面所１１５と、第２浴室１１６と、第２洗面所１１７と、第２台所１１８と、通路１１９と、間仕切り壁９０と、第１間仕切り扉２０と、第２間仕切り扉５０と、を備える。
【００１７】
図１に示すように、第１玄関１０１と第２玄関１０３とは、通路１１９によって繋がる。第１玄関１０１には、第１玄関扉２０１が設けられる。第２玄関１０３には、第２玄関扉２０３が設けられる。居間１０５は、第１玄関１０１と繋がる。第１寝室１０７、第２寝室１０９、及び第３寝室１１１は、居間１０５側からこの順に配置される。第１寝室１０７、第２寝室１０９、及び第３寝室１１１は、通路１１９と繋がる。第１台所１１３は、居間１０５と繋がる。第１洗面所１１５及び第１化粧室１１２は、通路１１９と繋がる。第２浴室１１６は、第１洗面所１１５と繋がる。第２洗面所１１７は、第２玄関１０３と繋がる。第２洗面所１１７は、化粧室を含む。
【００１８】
以下の説明においては、ＸＹＺ直交座標軸が用いられる。Ｘ軸は、水平方向と平行であって、且つ通路１１９の長手方向と平行な軸である。Ｙ軸は、通路１１９の幅方向と平行な軸である。Ｚ軸は、鉛直方向と平行な軸である。Ｘ軸と平行な方向のうち、第２玄関１０３から第１玄関１０１に向かう方向を＋Ｘ方向とする。＋Ｘ方向を向いた場合の右方向を＋Ｙ方向とする。鉛直方向のうち上方向を＋Ｚ方向とする。
【００１９】
図１に示すように、間仕切り壁９０は、通路１１９に設けられる壁である。間仕切り壁９０は、第１浴室１１４と通路１１９とを隔てる壁である。間仕切り壁９０は、乾式壁である。図６に示すように、間仕切り壁９０は、第１内装材９１と、第２内装材９３と、収納枠９５と、密封部材９８と、を備える。
【００２０】
図６に示すように、第１内装材９１及び第２内装材９３は、通路１１９に面する板状部材である。第２内装材９３は、第１内装材９１に対して、間仕切り壁９０の中心９０ｃ側に配置される。収納枠９５は、第１内装材９１と第２内装材９３とを連結する。収納枠９５は、鋼等の金属で形成される。より具体的には、収納枠９５は、厚さが１．５ｍｍ以上の鋼板又はステンレス鋼板で形成される。密封部材９８は、収納枠９５に取り付けられる。密封部材９８は、収納枠９５から第１間仕切り扉２０に向かって突出している。密封部材９８は、例えばゴム又は合成樹脂等で形成される。収納空間９９は、第２内装材９３及び収納枠９５によって形成される凹状の空間である。収納空間９９には、第１間仕切り扉２０が収納される。また、第１内装材９１を挟んだ収納空間９９とは反対側には、第２間仕切り扉５０を収納するための収納空間が形成される。
【００２１】
第１間仕切り扉２０は、１つの空間を、互いに隔てられた２つの空間に分割するための装置である。本実施形態において、第１間仕切り扉２０は、１つの世帯が住む空間を、２つ世帯が住む空間に分割するための装置である。第１間仕切り扉２０は、通路１１９に配置される。第１間仕切り扉２０は、通路１１９のうち、第１寝室１０７と第２寝室１０９との間である位置に配置される。第１玄関１０１、居間１０５、第１寝室１０７、第１台所１１３、及び第１洗面所１１５が、第１間仕切り扉２０の一方側に配置される。第２玄関１０３、第２寝室１０９、第３寝室１１１、及び第２洗面所１１７が、第１間仕切り扉２０の他方側に配置される。
【００２２】
第２間仕切り扉５０は、１つの空間を、互いに隔てられた２つの空間に分割するための装置である。本実施形態において、第２間仕切り扉５０は、１つの世帯が住む空間を、２つ世帯が住む空間に分割するための扉である。第２間仕切り扉５０は、通路１１９に配置される。第２間仕切り扉５０は、通路１１９のうち、第２玄関１０３側の端部に配置される。第１玄関１０１、居間１０５、第１寝室１０７、第２寝室１０９、第１台所１１３、及び第１洗面所１１５が、第２間仕切り扉５０の一方側に配置される。第２玄関１０３、第３寝室１１１、及び第２洗面所１１７が、第２間仕切り扉５０の他方側に配置される。
【００２３】
住宅１００は、第１間仕切り扉２０又は第２間仕切り扉５０を開閉することによって、間取りを変更することができる。例えば、図１に示すように、第１間仕切り扉２０が閉じられ且つ第２間仕切り扉５０が開けられる。この場合、住宅１００は、第１居住空間１００ａと第２居住空間１００ｂとに分割される。例えば、所有者が、第１居住空間１００ａに住む。所有者の家族構成としては、夫婦２人等が想定される。第２居住空間１００ｂには、例えば賃借人（第２居住空間１００ｂを借りる者）等が住む。
【００２４】
例えば、図２に示すように、第１間仕切り扉２０が開けられ且つ第２間仕切り扉５０が閉じられる。この場合、住宅１００は、第１居住空間１００ｃと第２居住空間１００ｄとに分割される。例えば、所有者が、第１居住空間１００ｃに住む。所有者の家族構成としては、３人家族又は４人家族等が想定される。第２居住空間１００ｄには、例えば賃借人等が住む。
【００２５】
例えば、図３に示すように、第１間仕切り扉２０及び第２間仕切り扉５０の両方が開けられる。この場合、住宅１００は、１つの居住空間１００ｅを構成する。例えば、所有者が、居住空間１００ｅ（住宅１００）に住む。所有者の家族構成としては、４人家族等が想定される。
【００２６】
図４から図７に示すように、第１間仕切り扉２０は、枠３０と、扉本体２１と、支持装置２２と、第１錠２３と、第２錠２４と、ケースハンドル２５と、密封部材２６と、密封部材２７と、固定部材２８と、を備える。
【００２７】
枠３０は、住宅１００の構造材に固定される。構造材は、例えば住宅１００の柱、梁又は壁等である。本実施形態において、枠３０は、乾式耐火遮音間仕切壁に固定される。枠３０は、例えば鋼等の金属で形成される。より具体的には、枠３０は、厚さが１．５ｍｍ以上の鋼板又はステンレス鋼板で形成される。枠３０は、間仕切り壁９０の収納枠９５と接続される。枠３０は、扉本体２１が閉じた状態において、扉本体２１を囲む。扉本体２１が閉じた状態とは、扉本体２１の厚さ方向が間仕切り壁９０の厚さ方向に対して直交する状態である。扉本体２１が開いた状態とは、扉本体２１の厚さ方向が間仕切り壁９０の厚さ方向と同じである状態である。扉本体２１の厚さ方向は、図６において紙面の上下方向である。間仕切り壁９０の厚さ方向は、図６において紙面の左右方向である。図６は、扉本体２１が閉じた状態を示す。
【００２８】
図６に示すように、扉本体２１は、通路１１９を塞ぐ部材である。扉本体２１は、例えば鋼等の金属で形成される。扉本体２１は、水平方向から見て矩形である。扉本体２１は、略直方体状であって、中空状である。扉本体２１の内部には遮音材が充填される。遮音材は、例えばグラスウールである。遮音材は、断熱材としても機能する。
【００２９】
図６の２点鎖線で示すように、扉本体２１が閉じた状態において、扉本体２１は、間仕切り壁９０の収納空間９９に収納される。すなわち、扉本体２１が閉じた状態において、扉本体２１は、間仕切り壁９０の収納空間９９から突出しない。具体的には、扉本体２１が閉じた状態において、扉本体２１は、間仕切り壁９０のうち最も通路１１９側に突出した端面９５１よりも間仕切り壁９０の中心９０ｃ側に配置される。端面９５１は、収納枠９５の側面である。
【００３０】
支持装置２２は、扉本体２１が回転軸Ｒを中心に回転できるように扉本体２１を支持する装置である。回転軸Ｒは、Ｚ軸と平行な軸である。図６に示すように、回転軸Ｒは、平面視で収納空間９９と重なる。支持装置２２は、例えばフロアヒンジである。
【００３１】
図４及び図６に示すように、第１錠２３は、扉本体２１に取り付けられる錠である。第１錠２３は、例えばシリンダー錠である。第１錠２３は、扉本体２１が閉じた状態で扉本体２１の＋Ｘ方向側から操作できる。第１錠２３は、扉本体２１が閉じた状態で＋Ｘ方向側に開口する鍵穴を備える。第１錠２３を操作するための第１錠が鍵穴に差し込まれた状態で回転させられると、デッドボルトが扉本体２１から突出する又は扉本体２１に収納される。デッドボルトが枠３０に嵌まった状態において、扉本体２１は開閉できない。住宅１００が図１に示すように第１居住空間１００ａと第２居住空間１００ｂとに分割された場合、第１錠２３は、第１居住空間１００ａの住人が操作できる。
【００３２】
図５及び図６に示すように、第２錠２４は、扉本体２１に取り付けられる錠である。第２錠２４は、例えばシリンダー錠である。第２錠２４は、扉本体２１が閉じた状態で扉本体２１の−Ｘ方向側から操作できる。第２錠２４は、扉本体２１が閉じた状態で−Ｘ方向側に開口する鍵穴を備える。第２錠２４を操作するための第２錠が鍵穴に差し込まれた状態で回転させられると、デッドボルトが扉本体２１から突出する又は扉本体２１に収納される。デッドボルトが枠３０に嵌まった状態において、扉本体２１は開閉できない。住宅１００が図１に示すように第１居住空間１００ａと第２居住空間１００ｂとに分割された場合、第２錠２４は、第２居住空間１００ｂの住人が操作できる。
【００３３】
図１に示すように、扉本体２１が閉じた状態において、第１玄関扉２０１は、扉本体２１に対して第１錠２３を操作できる空間（第１居住空間１００ａ）側に配置される。扉本体２１が閉じた状態において、第２玄関扉２０３は、扉本体２１に対して第２錠２４を操作できる空間（第２居住空間１００ｂ）側に配置される。第２玄関扉２０３に設けられる第２玄関錠２０７を操作するための第２玄関鍵は、第１玄関扉２０１に設けられる第１玄関錠２０５を操作するための第１玄関鍵とは異なる鍵である。本実施形態において、第２錠２４を操作するための第２鍵は、第１錠２３を操作するための第１鍵と同じ鍵である。また、第１鍵及び第２鍵は、第１玄関鍵及び第２玄関鍵とは異なる鍵である。
【００３４】
図４から図６に示すように、ケースハンドル２５は、扉本体２１に取り付けられる金具である。ケースハンドル２５は、扉本体２１の両面（正面及び背面）に取り付けられる。ケースハンドル２５は、扉本体２１に埋め込まれるケースと、ケースに収納されるハンドルと、を備える。ケースハンドル２５のハンドルを回転させると、扉本体２１から突出していたラッチが引っ込み、扉本体２１が移動可能な状態となる。
【００３５】
図６に示すように、密封部材２６は、扉本体２１に取り付けられる。密封部材２６は、枠３０と扉本体２１との間の隙間を塞ぐ部材である。扉本体２１が閉じた状態において、密封部材２６は、枠３０に接する。密封部材２６は、例えばゴム又は合成樹脂等で形成される。
【００３６】
図７に示すように、密封部材２７は、固定部材２８によって、扉本体２１に取り付けられる。固定部材２８は、板状部材であって、ボルト等によって扉本体２１に固定される。密封部材２７は、扉本体２１と固定部材２８とに挟まれることによって位置決めされる。固定部材２８は、例えば巾木としても機能する。密封部材２７は、枠３０と扉本体２１との間の隙間を塞ぐ部材である。密封部材２７は、扉本体２１の端部から枠３０に向かって突出している。扉本体２１が閉じた状態において、密封部材２７は、枠３０に接する。密封部材２７は、例えばゴム又は合成樹脂等で形成される。
【００３７】
第２間仕切り扉５０は、第１間仕切り扉２０と同様に、枠３０と、扉本体２１と、支持装置２２と、第１錠２３と、第２錠２４と、ケースハンドル２５と、密封部材２６と、密封部材２７と、固定部材２８と、を備える。第２間仕切り扉５０に関して、第１間仕切り扉２０の説明と重複する説明は省略する。
【００３８】
第２間仕切り扉５０の第１錠２３は、扉本体２１が閉じた状態で扉本体２１の＋Ｘ方向側から操作できる。第１錠２３は、扉本体２１が閉じた状態で＋Ｘ方向側に開口する鍵穴を備える。住宅１００が図２に示すように第１居住空間１００ｃと第２居住空間１００ｄとに分割された場合、第２間仕切り扉５０の第１錠２３は、第１居住空間１００ｃの住人が操作できる。
【００３９】
第２間仕切り扉５０の第２錠２４は、扉本体２１が閉じた状態で扉本体２１の−Ｘ方向側から操作できる。第２錠２４は、扉本体２１が閉じた状態で−Ｘ方向側に開口する鍵穴を備える。住宅１００が図２に示すように第１居住空間１００ｃと第２居住空間１００ｄとに分割された場合、第２錠２４は、第２居住空間１００ｄの住人が操作できる。
【００４０】
なお、住宅１００は、必ずしも第１間仕切り扉２０及び第２間仕切り扉５０の両方を備えていなくてもよい。住宅１００は、第１間仕切り扉２０及び第２間仕切り扉５０の少なくとも一方を備えていればよい。また、住宅１００は、第１間仕切り扉２０及び第２間仕切り扉５０の他に間仕切り装置を備えていてもよい。第１間仕切り扉２０及び第２間仕切り扉５０は、必ずしも通路１１９に配置されなくてもよい。第１間仕切り扉２０及び第２間仕切り扉５０を配置する場所は、特に限定されない。住宅１００は、集合住宅に限定されない。住宅１００は、一戸建てであってもよい。
【００４１】
第２錠２４を操作するための第２鍵は、第１錠２３を操作するための第１鍵と必ずしも同じ鍵でなくてもよく、異なる鍵であってもよい。すなわち、第１鍵、第２鍵、第１玄関鍵及び第２玄関鍵は、それぞれ異なる鍵であってもよい。
【００４２】
本実施形態において密封部材２７は、扉本体２１の一方側の面に配置されているが、扉本体２１の他方側の面に配置されていてもよい。すなわち、密封部材２７は、扉本体２１の両側の面に配置されてもよい。
【００４３】
以上で説明したように、本実施形態の住宅１００は、間仕切り壁９０と、間仕切り扉（第１間仕切り扉２０又は第２間仕切り扉５０）と、を備える。間仕切り扉は、間仕切り壁９０に面する通路１１９を塞ぐ扉本体２１を備え、鉛直方向と平行な回転軸Ｒを中心に回転する。扉本体２１の厚さ方向が間仕切り壁９０の厚さ方向と同じである状態（扉本体２１が閉じた状態）において、扉本体２１は、間仕切り壁９０に設けられる凹状の収納空間９９に収納される。
【００４４】
これにより、住宅１００は、間仕切り扉（第１間仕切り扉２０又は第２間仕切り扉５０）が使用されていない時に、間仕切り扉が間仕切り壁９０から通路１１９側に出っ張ることを抑制できる。したがって、住宅１００は、間仕切り扉が設置された通路において、間仕切り扉が使用されていない時の通行を円滑にできる。
【００４５】
間仕切り扉（第１間仕切り扉２０又は第２間仕切り扉５０）は、扉本体２１に取り付けられ且つ扉本体２１の一方側から操作できる第１錠２３と、扉本体２１に取り付けられ且つ扉本体２１の他方側から操作できる第２錠２４と、を備える。
【００４６】
これにより、間仕切り扉（第１間仕切り扉２０又は第２間仕切り扉５０）を開閉するためには、一方の空間から第１錠２３を開け且つ他方の空間から第２錠２４を開ける必要がある。したがって、住宅１００は、間仕切り扉によって隔てられる２つ空間に住む住人間のプライバシーをより保つことができる。
【００４７】
住宅１００は、第１玄関錠２０５を備える第１玄関扉２０１と、第２玄関錠２０７を備える第２玄関扉２０３と、を備える。扉本体２１の厚さ方向が間仕切り壁の厚さ方向に対して直交する状態（扉本体２１が開いた状態）において、第１玄関扉２０１は、扉本体２１に対して第１錠２３を操作できる空間（第１居住空間１００ａ又は第１居住空間１００ｃ）側に配置される。扉本体２１の厚さ方向が間仕切り壁９０の厚さ方向に対して直交する状態（扉本体２１が開いた状態）において、第２玄関扉２０３は、扉本体２１に対して第２錠２４を操作できる空間（第２居住空間１００ｂ又は第２居住空間１００ｄ）側に配置される。第２玄関錠２０７を操作するための第２玄関鍵は、第１玄関錠２０５を操作するための第１玄関鍵とは異なる鍵である。第２錠２４を操作するための第２鍵は、第１錠２３を操作するための第１鍵と同じ鍵である。第１鍵及び第２鍵は、第１玄関鍵及び第２玄関鍵とは異なる鍵である。
【００４８】
これにより、住宅１００は、間仕切り扉によって隔てられる２つ空間の住人間のプライバシーを保つことができることに加え、鍵の種類の増加を抑制できる。住宅１００は、所有者による鍵の管理を容易にできる。
【００４９】
間仕切り扉（第１間仕切り扉２０又は第２間仕切り扉５０）は、扉本体２１に取り付けられるケースハンドル２５を備える。
【００５０】
これにより、間仕切り扉を開閉する時に使用するハンドルが、扉本体２１から出っ張りにくくなる。住宅１００は、間仕切り扉が設置された通路において、間仕切り扉が使用されていない時の通行をより円滑にできる。
【００５１】
間仕切り扉（第１間仕切り扉２０又は第２間仕切り扉５０）は、扉本体２１の厚さ方向が間仕切り壁９０の厚さ方向に対して直交する状態（扉本体２１が開いた状態）において扉本体２１を囲む枠３０と、扉本体２１と枠３０との間の隙間を塞ぐ密封部材２６及び密封部材２７と、を備える。
【００５２】
これにより、住宅１００は、間仕切り扉（第１間仕切り扉２０又は第２間仕切り扉５０）によって隔てられた一方の空間から他方の空間への空気、音又は光等の伝達を抑制できる。住宅１００は、間仕切り扉によって隔てられる２つ空間の住人間のプライバシーをより保つことができる。
【００５３】
（第１変形例）
第１変形例においては、第２錠２４を操作するための第２鍵は、第１錠２３を操作するための第１鍵と異なる鍵である。第１錠２３を操作するための第１鍵は、第１玄関錠２０５を操作するための第１玄関鍵と同じ鍵である。第２錠２４を操作するための第２鍵は、第２玄関錠２０７を操作するための第２玄関鍵と同じ鍵である。
【００５４】
これにより、第１変形例の住宅は、間仕切り扉によって隔てられる２つ空間の住人間のプライバシーを保つことができることに加え、鍵の種類の増加を抑制できる。第１変形例の住宅は、所有者による鍵の管理を容易にできる。また、一方の空間の住人が使用する鍵の種類、及び他方の空間の住人が使用する鍵の種類は、それぞれ１種類で済む。このため、第１変形例の住宅は、住人による鍵の管理を容易にできる。
【００５５】
なお、第１錠２３は、扉本体２１に対して両側から操作できるように配置されていてもよい。すなわち、第１錠２３は、扉本体２１が閉じた状態で＋Ｘ方向側に開口する鍵穴と、−Ｘ方向側に開口する鍵穴と、を備えていてもよい。第２錠２４は、扉本体２１に対して両側から操作できるように配置されていてもよい。すなわち、第２錠２４は、扉本体２１が閉じた状態で＋Ｘ方向側に開口する鍵穴と、−Ｘ方向側に開口する鍵穴と、を備えていてもよい。
【符号の説明】
【００５６】
２０  第１間仕切り扉
２１  扉本体
２２  支持装置
２３  第１錠
２４  第２錠
２５  ケースハンドル
２６、２７  密封部材
２８  固定部材
３０  枠
５０  第２間仕切り扉
９０  間仕切り壁
９０ｃ  中心
９１  第１内装材
９３  第２内装材
９５  収納枠
９５１  端面
９８  密封部材
９９  収納空間
１００  住宅
１００ａ  第１居住空間
１００ｂ  第２居住空間
１００ｃ  第１居住空間
１００ｄ  第２居住空間
１００ｅ  居住空間
１０１  第１玄関
１０３  第２玄関
１０５  居間
１０７  第１寝室
１０９  第２寝室
１１１  第３寝室
１１２  第１化粧室
１１３  第１台所
１１４  第１浴室
１１５  第１洗面所
１１６  第２浴室
１１７  第２洗面所
１１８  第２台所
１１９  通路
２０１  第１玄関扉
２０３  第２玄関扉
２０５  第１玄関錠
２０７  第２玄関錠
Ｒ  回転軸
【図１】
2020153130.tif 000003
【図２】
2020153130.tif 000004
【図３】
2020153130.tif 000005
【図４】
2020153130.tif 000006
【図５】
2020153130.tif 000007
【図６】
2020153130.tif 000008
【図７】
2020153130.tif 000009
【図８】
2020153130.tif 000010
【図９】
2020153130.tif 000011